(57)【特許請求の範囲】
【請求項１】
ランプと、前記ランプを支持するランプ支持体とから構成され、
前記ランプ支持体は、コンタクトと、前記ランプ支持体にスライド可能に保持されるスライダーとを有し、
更に、前記ランプ支持体は、ランプ支持部と、抜け止めフックとを有し、
前記コンタクトは、前記ランプの接続部を挟持する開閉可能な接触部及び前記スライダーの係合部と係合する部分を有し、
前記スライダーは、前記ランプ支持部に向けて前記ランプを押圧する弾性部と、前記抜け止めフックに抑止される被抑止部とを有し、
前記スライダーは、前記係合部が前記コンタクトの前記部分と係合して前記接触部を開閉させるようにスライド可能であり、前記接触部を開閉して前記ランプの接続部と接続させることを特徴とするバックライト組立体。
【請求項２】
前記バックライト組立体はグラウンドバーを更に有し、前記コンタクトは前記グラウンドバーと接続する接続部を有することを特徴とする請求項１記載のバックライト組立体。
【請求項３】
前記バックライト組立体はグラウンドバーを更に有し、前記コンタクトと前記グラウンドバーとは一体形成されることを特徴とする請求項１記載のバックライト組立体。
【発明の詳細な説明】
【０００１】
【発明の属する技術分野】
本発明は、バックライト組立体に関し、特に、ワード・プロセッサ、パーソナル・コンピュータ及びテレビジョン受像機等の液晶ディスプレイに使用されるバツクライト組立体に関する。
【０００２】
【従来の技術】
従来のバックライト組立体について、図５〜図８を参照して説明する。
【０００３】
まず、高圧側から説明すると、図５と図６に示されるように、ランプ支持台５１の上部には、複数本の蛍光管５２が配設され、各蛍光管５２は金属板５３により被覆されている。金属板５３上には、電圧供給（インバータ）基板５４が搭載され、電圧供給基板５４に複数のコネクタ５５が設置されている。
【０００４】
図７に示されるように、ランプ支持台５１に設けられた複数の一対のＵ字状溝５１Ａ（ここでは、便宜上１個のみを図示する。）には、それぞれゴムカバー５６が圧入されている。図７に模式的に示される直方体状のゴムカバー５６には、蛍光管５２の一端部とケーブル５７の一端部とが保持され、蛍光管５２の端子５２Ａとケーブル５７の導線５７Ａとは、圧着又は半田付けにより接続される。ケーブル５７の他端部は、コネクタ５８によりコネクタ５５に接続される。
【０００５】
次に、低圧側について説明すると、図８に示されるように、各蛍光管５２の他端部は、各ケーブル５９を介して各コネクタ６０に接続される。各コネクタ６０は、グラウンド基板６１に設置された各コネクタ６２に接続される。グラウンド基板６１は、ねじ６３によりランプ支持台５１に固定される。リターンケーブル６４の一端の導線６４Ａは、グラウンド基板６１の導体パターンに半田付けされ、他端の導線（図示せず）は、高圧側の電圧供給基板５４に接続される。
【０００６】
【発明が解決しようとする課題】
従来、バックライトの光源には、冷陰極管又は熱陰極管等の細径蛍光管が使用されており、バックライト組立体の構造は、エッジライト型と直下型とに大別される。
【０００７】
エッジライト型は、導光板の側面に蛍光管を配置して光を誘導するものである。直下型は、上面に開口部が形成された扁平な反射板の底部に蛍光管を収納することによりランプハウスを構成し、ランプハウスからの直接光を光透過拡散板に入射させて、開口部から均一な面状光を出光させるものである。
【０００８】
直下型は、直接光を使用するから、エッジライト型と比較して光の利用効率が高いので、モニターやテレビジョン受像機等の高輝度を必要とする液晶ディスプレイのバックライトには好適である。
【０００９】
ところで、前述した従来のバックライト組立体には、次の欠点があった。すなわち、蛍光管をゴムカバー、ケーブル及びコネクタを介して電圧供給回路に接続するか、又は、ケーブルを電圧供給回路に接続するため、所要部品の点数が多く、また、作業工程数も多く、更に、蛍光管を交換するときに同時に他の部品も交換せざるを得ないので、コストが高価である。
【００１０】
そこで、本発明は、前記従来のバックライト組立体の欠点を改良し、ランプの接続部（導線）とコンタクトの接触部との接続工程が簡易で、しかも、コストが安価なバックライト組立体を提供しようとするものである。
【００１１】
【課題を解決するための手段】
本発明は、前記課題を解決するため、次の手段を採用する。
【００１２】
１．ランプと、前記ランプを支持するランプ支持体とから構成され、前記ランプ支持体は、コンタクトと、前記ランプ支持体にスライド可能に保持されるスライダーとを有し、更に、前記ランプ支持体は、ランプ支持部と、抜け止めフックとを有し、前記コンタクトは、前記ランプの接続部を挟持する開閉可能な接触部及び前記スライダーの係合部と係合する部分を有し、前記スライダーは、前記ランプ支持部に向けて前記ランプを押圧する弾性部と、前記抜け止めフックに抑止される被抑止部とを有し、前記スライダーは、前記係合部が前記コンタクトの前記部分と係合して前記接触部を開閉させるようにスライド可能であり、前記接触部を開閉して前記ランプの接続部と接続させるバックライト組立体。
【００１３】
２．前記バックライト組立体はグラウンドバーを更に有し、前記コンタクトは前記グラウンドバーと接続する接続部を有する前記１記載のバックライト組立体。
【００１４】
３．前記バックライト組立体はグラウンドバーを更に有し、前記コンタクトと前記グラウンドバーとは一体形成される前記１記載のバックライト組立体。
【００１５】
【発明の実施の形態】
本発明の４つの実施の形態例のバックライト組立体について以下に順次説明する。
【００１６】
まず、第１実施の形態例について図１を参照して説明する。ランプ支持台１の孔１Ａには、コンタクト３の圧入部７が圧入されている。コンタクト３の接触部（中央端子１４Ａ，両側端子１４Ｃ）は、１枚の金属板をプレスにより打ち抜くことにより三股状に形成される。コンタクト３の中央端子１４Ａの先端には傾斜部１４Ｂが形成され、また、コンタクト３からピン状端子９が伸出形成される。コンタクト３はグラウンドバー６に接続され、ピン状端子９は蛍光管２の低圧側では切断され、グラウンドバー６は高圧側では切断される。
【００１７】
蛍光管２の導線（デュメット線）４とコンタクト３との接続は、次のように行う。ランプ支持台１にスライド可能に保持されたスライダー１５を図１（ｅ）の状態からランプ支持台１に設けられたストッパー１６に当接するまでスライドさせると、スライダー１５の両突出部１５Ａはコンタクト３の両側端子１４Ｃの先端折曲部１４Ｄを押圧して（ｆ）の状態に至らせる。この状態では、コンタクト３の中央端子１４Ａと両側端子１４Ｃとの間は開放されているため、蛍光管２を矢印方向に移動すると、蛍光管２の導線４は、中央端子１４Ａの傾斜部１４Ｂにガイドされて、中央端子１４Ａと両側端子１４Ｃとの間に抵抗なく挿入される。スライダー１５を（ｆ）の状態から（ｇ）の状態までスライドさせると、両側端子１４Ｃは若干復元して導線４を中央端子１４Ａとの間で挟圧する。また、スライダー１５のフック１７は、ランプ支持台１の溝１９に係合する。最後に、プレート２３を矢印方向にランプ支持台１に装着してねじで締め付ける。なお、フック１７と溝１９との係合を解除するときは、取っ手１８に指を掛けて行う。低圧側の隣接するコンタクト３同士は、圧入部７の先にピッチ方向に伸出するグラウンドバー６により短絡される。
【００１８】
次に、本発明の第２実施の形態例について図２を参照して説明する。なお、第２実施の形態例の説明は、第１実施の形態例と同様な点の説明を省略し、相違する点のみの説明を行う。また、第３，４実施の形態例の説明も、既述の実施の形態例と同様な点の説明を省略し、相違する点のみの説明を行う。
【００１９】
折曲形成されたコンタクト３をランプ支持台１に圧入する。ランプ支持台１には、蛍光管２をガイドするために円筒状のゴムラバー２０を取り付ける。図２（ａ）の状態において、コンタクト３の両端部３Ａ，３Ｂは離隔しており、蛍光管２をゴムラバー２０内に挿入すると、図２（ｂ）の状態に至る。このとき、蛍光管２の導線４は、コンタクト３の両端部３Ａ，３Ｂの間に挿入される。続いて、図２（ｃ）に示されるように、スライダー２１を矢印方向にスライドさせると、スライダーの凸部２２は、コンタクト３の頭頂部３Ｃを押し上げるため、蛍光管２の導線４は、コンタクト３の両端部３Ａ，３Ｂにより挟圧される。
【００２０】
蛍光管２の低圧側では、図２（ｅ）に示されるように、コンタクト３の圧入部７の先端に形成された弾力性を有するソケット状端子８は、グラウンドバー６を挟み込むので、隣接するコンタクト３同士は、短絡する。また、図２（ｅ）の短絡構造は、図２（ｆ）に示されるように、圧入部７の先端にグラウンドバー６を半田付けするように設計変更することができる。
【００２１】
蛍光管２の高圧側では、図２（ｇ）に示されるように、コンタクト３から突出形成されたピン状端子９は、電圧供給（インバータ）基板１０上に設けられたソケットコネクタ１１に接続する。また、図２（ｇ）の接続構造は、図２（ｈ）に示されるように、コンタクト３から突出形成された弾力性を有するソケット状端子１２は、電圧供給基板１０上に設けられたピンコネクタ１３に接続する。
【００２２】
更に、本発明の第３実施の形態例について図３を参照して説明する。
【００２３】
第３実施の形態例は、第１実施の形態例とほぼ同様の構造であるが、スライダー１５とその関連構造の点で相違する。蛍光管２は、ゴムラバーを介在することなく、ランプ支持台１に載置される。スライダー１５には、弾性部１５Ｂが設けられ、弾性部１５Ｂは蛍光管２を図３（ａ）において下方に押し付ける。また、スライダー１５には、２箇所に被抑止部１５Ｃが設けられ、スライダー１５をランプ支持台１に組み込んだとき、各被抑止部１５Ｃはランプ支持台１の２箇所に設けられた抜け止めフック１Ｂの下に差し込まれる。したがって、スライダー１５は、上方への移動を阻止される。更に、ランプ支持台１には、一対の凸部ガイド１Ｃが設けられ、スライダー１５には、一対の溝（図示せず）が設けられ、一対の溝が一対の凸部ガイド１Ｃにはまることにより、スライダー１５はランプ支持台１に対して直進する。なお、スライダー１５がコンタクト３の両側端子１４Ｃを高い効率で弾性変形させることができるように、両側端子１４Ｃを図３（ｂ）に示されるように数字の７のような形状に構成する。また、図３（ｄ）に示されるように、コンタクト３とグランドバー６とは、一体のバス構造に構成される。
【００２４】
組立工程について図３（ｅ）〜（ｊ）を参照して順次説明する。（ｅ）は、ランプ支持台１のみを示す。コンタクト３をランプ支持台１に圧入すると、（ｆ）の状態に至る。更に、スライダー１５を組み込むと、（ｇ）の状態を経てコンタクト３が開放された（ｈ）の状態に至る。続いて、蛍光管２をランプ支持台１に挿入すると、（ｉ）の状態に至る。最後に、スライダー１５のロック１５Ｄをランプ支持台１にかける。
【００２５】
更に、本発明の第４実施の形態例について図４を参照して説明する。
【００２６】
三股状のコンタクト３を箱曲げ（コ字状の折曲）することにより、中央端子１４Ａと両側端子１４ＣとのクリアランスＣを小さく構成することができる。蛍光管２の導線４が中央端子１４Ａと両側端子１４Ｃとの間に挟圧される場合、クリアランスＣが大きいとき、導線４は蛇行し易い。しかし、本実施の形態例のようにコンタクト３を箱曲げすると、クリアランスＣを微調整することができるので、導線４の蛇行の発生を防止することができる。
【００２７】
コンタクト３の中央端子１４Ａを弾性変形させるアクチュエータ構造について説明する。アクチュエータ構造は、蛍光管２の両側に設けられている。治具２６の本体２６Ａには、レバー２７が回転可能に取り付けられ、レバー２７には、カム２８が固定されている。カム２８は、本体２６Ａに搭載されているスライダー２６Ｂを駆動する。スライダー２６Ｂには、複数の治具ピン２６Ｃが突出形成され、各治具ピン２６Ｃはそれぞれ中央端子１４Ａの先端折曲部１４Ｂに係合する。図４（ｄ）において、レバー２７を実線位置から２点鎖線位置まで回転させると、カム２８を介してスライダー２６Ｂを図４（ｆ）における上側の矢印方向に移動させる。すると、各治具ピン２６Ｃは、各中央端子１４Ａの先端折曲部１４Ｂを押圧する。したがって、各コンタクト３における中央端子１４Ａと両側端子１４Ｃとの間が開放されるため、各蛍光管２の導線４を各コンタクト３に接続し易くなる。
【００２８】
各蛍光管２の導線４を各中央端子１４Ａと各両側端子１４Ｃとの間に挿入した後に、図４（ｄ）において、レバー２７を２点鎖線位置から実線位置まで左回転させると、カム２８を介してスライダー２６Ｂを図４（ｆ）における下側の矢印方向に移動させる。すると、各治具ピン２６Ｃは、各中央端子１４Ａの先端折曲部１４Ｂに対する押圧を解除する。したがって、各コンタクト３における中央端子１４Ａと両側端子１４Ｃとの間が接近するため、各蛍光管２の導線４は各コンタクト３に接続する。
【００２９】
【発明の効果】
以上の説明から明らかなように、本発明によれば、次の効果を奏することができる。
【００３０】
１．ランプの接続部（導線）とランプ支持体に組み込まれたコンタクトの接触部とが接続するので、従来の技術の複雑な構造と対比して、接続工程が簡易で、しかも、コストが安価となる。
【００３１】
２．従来、基板上で行われていた各端子のグラウンドの共通化を、本発明ではコンタクトで行うため、基板のリードタイムと基板のコストが不要となる。
【００３２】
３．ランプを交換するとき、ランプに付属する部品（圧着端子、ケーブル等）を共に交換する必要がないので、繁雑さがなく、また、経済上有利である。
【００３３】
４．半田を使用しないため、環境を汚染しない。
【００３４】
５．ゴムカバーを使用しない組立体では、コストが安価となる。
【００３５】
６．バックライト組立体の低圧側では、ランプの導線をコンタクトの圧接部に接続させるので、圧着やかしめに比べて接続作業が容易である。また、従来のグラウンド基板の代りにグラウンドバーをコンタクトの接続部（ばね部）に弾性接続させることにより、組立作業を容易に行うことができ、組立コストが低減する。また、鉛フリーへの環境対策に役立つ。
【図面の簡単な説明】
【図１】  本発明の第１実施の形態例のバックライト組立体の諸図であり、（ａ）は断面図（（ｂ）における線Ｂ−Ｂによる断面図）、（ｂ）は平面図、（ｃ）は（ｂ）における線Ａ−Ａによる断面図、（ｄ）はコンタクトとグラウンドバーの側面図、（ｅ）は蛍光管の接続前の要部の断面図、（ｆ）はコンタクトを開放したときの要部の断面図、（ｇ）は蛍光管がコンタクトと接続したときの要部の断面図を、それぞれ示す。
【図２】  本発明の第２実施の形態例の諸図であり、（ａ）は蛍光管の接続前の要部の断面図、（ｂ）は蛍光管の導線をコンタクトに挿入したときの要部の断面図、（ｃ）は蛍光管の導線がコンタクトと接続したときの要部の断面図、（ｄ）は蛍光管の両側の導線がコンタクトと接続したときの縮小断面図、（ｅ）は（ｂ）における線Ａ−Ａによる低圧側の断面図、（ｆ）は（ｅ）の一設計変更例の断面図、（ｇ）は（ｂ）における線Ａ−Ａによる高圧側の断面図、（ｈ）は（ｇ）の一設計変更例の断面図を、それぞれ示す。
【図３】  本発明の第３実施の形態例の諸図であり、（ａ）は平面図、（ｂ）は（ａ）における線Ａ−Ａによる断面図、（ｃ）は（ａ）における線Ｂ−Ｂによる断面図、（ｄ）はバス構造の断面図、（ｅ）〜（ｊ）は組立工程の平面図を、それぞれ示す。
【図４】  本発明の第４実施の形態例の諸図であり、（ａ）は平面図、（ｂ）は（ａ）における線Ａ−Ａによる断面図、（ｃ）は（ａ）における線Ｂ−Ｂによる断面図、（ｄ）はアクチュエータ構造の断面図、（ｅ）はコンタクトの斜視図、（ｆ）は治具とコンタクトの平面図を、それぞれ示す。
【図５】  従来のバックライト組立体における上部の分解斜視図である。
【図６】  従来のバックライト組立体の分解した状態の断面図である。
【図７】  図６における円内の部分の拡大斜視図である。
【図８】  図６における矢視方向に見た側面図である。
【符号の説明】
１    ランプ支持台
１Ａ    孔
１Ｂ    抜け止めフック
１Ｃ    凸部ガイド
２    蛍光管
３    コンタクト
３Ａ    端部
３Ｂ    端部
３Ｃ    頭頂部
４    導線（デュメット線）
６    グラウンドバー
７    圧入部
８    ソケット状端子
９    ピン状端子
１０    電圧供給（インバータ）基板
１１    ソケットコネクタ
１２    ソケット状端子
１３    ピンコネクタ
１４Ａ    中央端子
１４Ｂ    傾斜部
１４Ｃ    側端子
１４Ｄ    先端折曲部
１５    スライダー
１５Ａ    突出部
１５Ｂ    弾性部
１５Ｃ    被抑止部
１５Ｄ    ロック
１６    ストッパー
１７    フック
１８    取っ手
１９    溝
２０    ゴムラバー
２１    スライダー
２２    凸部
２３    プレート
２６    治具
２６Ａ    本体
２６Ｂ    スライダー
２６Ｃ    治具ピン
２７    レバー
２８    カム
【図１】
0003786403.tif 000002
【図２】
0003786403.tif 000003
【図３】
0003786403.tif 000004
【図４】
0003786403.tif 000005
【図５】
0003786403.tif 000006
【図６】
0003786403.tif 000007
【図７】
0003786403.tif 000008
【図８】
0003786403.tif 000009